(57)【要約】【課題】情報が他人に読み取られる危険性を効果的に低める。【解決手段】人工歯１０などの物品に対して表面加工を施すことにより形成された認証鍵１１ａ，１１ｂに対して、電磁波や超音波を認証鍵１１ａ，１１ｂに照射したり、認証鍵１１ａ，１１ｂの画像を撮影して解析したりすることにより、物品自体に加工を施すことにより形成された認証鍵１１ａ，１１ｂから物品に係る情報に対してアクセスする権限を有するか否かの認証に係る認証鍵情報を読み取り、読み取った認証鍵情報に基づいて、物品に係る情報に対してアクセスする権限を有するか否かの認証をおこなう。【選択図】        図１
2006201895.tif 000002
【特許請求の範囲】
【請求項１】
物品に係る情報に対してアクセスする権限を有するか否かの認証に係る認証鍵情報が読み取られる認証鍵であって、
前記物品自体に加工を施すことにより形成されたこと、
を特徴とする認証鍵。
【請求項２】
前記物品自体に施される加工は、物品の表面に凹凸を形成する加工であることを特徴とする請求項１に記載の認証鍵。
【請求項３】
物品に係る情報に対してアクセスする権限を有するか否かの認証をおこなう認証装置であって、
前記物品自体に加工を施すことにより形成された認証鍵から物品に係る情報に対してアクセスする権限を有するか否かの認証に係る認証鍵情報を読み取る認証鍵情報読取手段と、
前記認証鍵情報読取手段により読み取られた認証鍵情報に基づいて、前記物品に係る情報に対してアクセスする権限を有するか否かの認証をおこなう認証手段と、
を備えたことを特徴とする認証装置。
【請求項４】
前記認証鍵情報と照合される認証鍵穴情報を読み取る認証鍵穴情報読取手段をさらに備え、前記認証手段は、前記認証鍵情報と認証鍵穴情報との間の対応関係に基づいて、前記物品に係る情報に対してアクセスする権限を有するか否かの認証をおこなうことを特徴とする請求項３に記載の認証装置。
【請求項５】
前記認証鍵穴情報読取手段は、前記認証鍵穴情報を当該認証鍵穴情報を記憶したＲＦＩＤタグから読み取ることを特徴とする請求項４に記載の認証装置。
【発明の詳細な説明】
【技術分野】
【０００１】
この発明は、物品に係る情報に対してアクセスする権限を有するか否かの認証に係る認証鍵情報が読み取られる認証鍵、および、物品に係る情報に対してアクセスする権限を有するか否かの認証をおこなう認証装置に関し、特に、情報が他人に読み取られる危険性を効果的に低めることができる認証鍵および認証装置に関する。
【背景技術】
【０００２】
従来、物品１つ１つにタグを取り付け、そのタグから物品を識別する技術が開発されている。具体的には、このタグは、所定の交流磁界の周波数で共振する共振素子を有し、この共振素子の共振周波数をタグごとに変更することにより、物品を識別することを可能としている。
【０００３】
たとえば、特許文献１には、異なる長さの薄い片持ちばりのアレイをエッチングにより形成し、各片持ちばりの表面を磁性材料で被覆した多重ビット磁気高周波タグの技術が開示されている。
【０００４】
具体的には、多重ビット磁気高周波タグの各片持ちばりは、高周波磁界が印加されるとそれぞれの共振周波数で振動する。そして、振動する各片持ちばりにより生成された磁界または電流が検出され、検出された磁界または電流が、物品を識別するための所定のコードに変換される。
【０００５】
【特許文献１】特開平８−２４９４３０号公報
【発明の開示】
【発明が解決しようとする課題】
【０００６】
しかしながら、上述した従来技術では、タグは情報を取得したい物体に取り付けられるものであるため、タグが取れてしまう危険性があるという問題があった。たとえば、重要な情報を読み出すためにタグが用いられる場合には、タグが取れてしまうと、重要な情報を他人に読まれてしまう危険性が出てくる。
【０００７】
特に、個人情報などのさまざまな情報をタグを用いて読み出すことが、近年ますます望まれるようになってきているが、上述した従来技術では、それらの情報が他人に読み取られる危険性があることから、適用範囲が限定されるという問題があった。
【０００８】
そのため、情報を他人に読み取られる危険性を低めることができる情報提供システムをいかにして提供するかが重要な問題となってきている。
【０００９】
この発明は、上述した従来技術による問題点を解消するためになされたものであり、情報が他人に読み取られる危険性を効果的に低めることができる認証鍵および認証装置を提供することを目的とする。
【課題を解決するための手段】
【００１０】
上述した課題を解決し、目的を達成するため、本発明は、物品に係る情報に対してアクセスする権限を有するか否かの認証に係る認証鍵情報が読み取られる認証鍵であって、前記物品自体に加工を施すことにより形成されたこと、を特徴とする。
【００１１】
また、本発明は、上記発明において、前記物品自体に施される加工は、物品の表面に凹凸を形成する加工であることを特徴とする。
【００１２】
また、本発明は、上記発明において、前記物品自体に加工を複数箇所に重複して施すことにより形成されたことを特徴とする。
【００１３】
また、本発明は、物品に係る情報に対してアクセスする権限を有するか否かの認証をおこなう認証装置であって、前記物品自体に加工を施すことにより形成された認証鍵から物品に係る情報に対してアクセスする権限を有するか否かの認証に係る認証鍵情報を読み取る認証鍵情報読取手段と、前記認証鍵情報読取手段により読み取られた認証鍵情報に基づいて、前記物品に係る情報に対してアクセスする権限を有するか否かの認証をおこなう認証手段と、を備えたことを特徴とする。
【００１４】
また、本発明は、上記発明において、前記認証鍵情報読取手段は、前記認証鍵のあらかじめ指定された部分から認証鍵情報を読み取り、前記認証手段は、前記認証鍵情報読取手段により読み取られた認証鍵情報に基づいて、前記物品に係る情報に対してアクセスする権限を有するか否かの認証をおこなうことを特徴とする。
【００１５】
また、本発明は、上記発明において、前記認証鍵情報読取手段は、前記認証鍵の各部分からあらかじめ指定された順序で認証鍵情報を読み取り、前記認証手段は、前記認証鍵情報読取手段により読み取られた認証鍵情報に基づいて、前記物品に係る情報に対してアクセスする権限を有するか否かの認証をおこなうことを特徴とする。
【００１６】
また、本発明は、上記発明において、前記認証鍵情報と照合される認証鍵穴情報を読み取る認証鍵穴情報読取手段をさらに備え、前記認証手段は、前記認証鍵情報と認証鍵穴情報との間の対応関係に基づいて、前記物品に係る情報に対してアクセスする権限を有するか否かの認証をおこなうことを特徴とする。
【００１７】
また、本発明は、上記発明において、前記認証鍵穴情報読取手段は、前記認証鍵が形成された物品に取り付けられた通信装置から所定の情報を受信した場合に、当該情報を受信した場合にのみ読み取り可能な認証鍵穴情報を読み取ることを特徴とする。
【００１８】
また、本発明は、上記発明において、前記認証鍵穴情報読取手段は、前記認証鍵穴情報を当該認証鍵穴情報を記憶したＲＦＩＤタグから読み取ることを特徴とする。
【００１９】
また、本発明は、上記発明において、ＲＦＩＤタグの識別情報と前記認証鍵穴情報とを対応付けて記憶したデータベースと、ＲＦＩＤタグからＲＦＩＤタグの識別情報を読み取る識別情報読取手段をさらに備え、前記認証鍵穴情報読取手段は、前記識別情報読取手段により読み取られた識別情報を基にして、前記認証鍵穴情報を前記データベースから読み取ることを特徴とする。
【００２０】
また、本発明は、上記発明において、複数のＲＦＩＤタグから各ＲＦＩＤタグが取り付けられたそれぞれの物品の識別情報を読み取る物品識別情報読取手段と、ＲＦＩＤタグから物品のグループに係る情報を読み取るグループ情報読取手段と、前記物品の識別情報および物品のグループに係る情報に基づいて、前記物品が揃っているか否かの状況を判定する状況判定手段をさらに備え、前記認証鍵情報読取手段は、前記物品に係る情報に対するアクセス要求を受け付けた場合に、前記物品自体に形成された認証鍵から認証鍵情報を読み取り、前記認証手段は、前記認証鍵情報読取手段により読み取られた認証鍵情報に基づいて、前記物品に係る情報に対してアクセスする権限を有するか否かの認証をおこなうことを特徴とする。
【００２１】
また、本発明は、上記発明において、前記認証鍵情報読取手段は、前記認証鍵情報の読み取りを電磁波または音波を認証鍵に照射することによりおこなうことを特徴とする。
【００２２】
また、本発明は、上記発明において、前記認証鍵情報読取手段は、前記認証鍵情報の読み取りを認証鍵の画像を撮影することによりおこなうことを特徴とする。
【００２３】
また、本発明は、物品に係る情報に対してアクセスする権限を有するか否かの認証をおこなう認証方法であって、前記物品自体に加工を施すことにより形成された認証鍵から物品に係る情報に対してアクセスする権限を有するか否かの認証に係る認証鍵情報を読み取る認証鍵情報読取工程と、前記認証鍵情報読取工程により読み取られた認証鍵情報に基づいて、前記物品に係る情報に対してアクセスする権限を有するか否かの認証をおこなう認証工程と、を含んだことを特徴とする。
【００２４】
また、本発明は、物品に係る情報に対してアクセスする権限を有するか否かの認証をおこなう認証プログラムであって、前記物品自体に加工を施すことにより形成された認証鍵から物品に係る情報に対してアクセスする権限を有するか否かの認証に係る認証鍵情報を読み取る認証鍵情報読取手順と、前記認証鍵情報読取手順により読み取られた認証鍵情報に基づいて、前記物品に係る情報に対してアクセスする権限を有するか否かの認証をおこなう認証手順と、をコンピュータに実行させることを特徴とする。
【００２５】
また、本発明は、上記発明において、前記物品は、人が装着する物品であることを特徴とする。
【発明の効果】
【００２６】
本発明によれば、物品に係る情報に対してアクセスする権限を有するか否かの認証に係る認証鍵情報が読み取られる認証鍵を、物品自体に加工を施すことにより形成することとしたので、物品に係る情報を読み出す場合に、物品自体に加工を施すことにより形成された認証鍵を用いて認証をおこなうことにより、情報が他人に読み取られる危険性を効果的に低めることができるという効果を奏する。
【００２７】
また、本発明によれば、物品自体に施される加工は、物品の表面に凹凸を形成する加工であることとしたので、物品に係る情報を読み出す場合に、物品自体に凹凸の加工を施すことにより形成された認証鍵を用いて認証をおこなうことにより、情報が他人に読み取られる危険性を効果的に低めることができるという効果を奏する。
【００２８】
また、本発明によれば、物品自体に加工を複数箇所に重複して施すことにより認証鍵が形成されることとしたので、複数箇所に重複して加工をおこなうことにより、そのうちの一箇所が損傷した場合でも、残りの加工箇所を用いて認証をおこなうことができるという効果を奏する。
【００２９】
また、本発明によれば、物品自体に加工を施すことにより形成された認証鍵から物品に係る情報に対してアクセスする権限を有するか否かの認証に係る認証鍵情報を読み取り、読み取った認証鍵情報に基づいて、物品に係る情報に対してアクセスする権限を有するか否かの認証をおこなうこととしたので、物品に係る情報を読み出す場合に、物品自体に加工を施すことにより形成された認証鍵を用いて認証をおこなうことにより、情報が他人に読み取られる危険性を効果的に低めることができるという効果を奏する。
【００３０】
また、本発明によれば、認証鍵のあらかじめ指定された部分から認証鍵情報を読み取り、読み取った認証鍵情報に基づいて、物品に係る情報に対してアクセスする権限を有するか否かの認証をおこなうこととしたので、認証鍵情報を読み取る認証鍵の部分を変更することにより認証鍵情報を変更し、情報が他人に読み取られる危険性を効果的に低めることができるという効果を奏する。
【００３１】
また、本発明によれば、認証鍵の各部分からあらかじめ指定された順序で認証鍵情報を読み取り、読み取った認証鍵情報に基づいて、物品に係る情報に対してアクセスする権限を有するか否かの認証をおこなうこととしたので、認証鍵の各部分から認証鍵情報を読み取る順序を変更することにより認証鍵情報を変更し、情報が他人に読み取られる危険性を効果的に低めることができるという効果を奏する。
【００３２】
また、本発明によれば、認証鍵情報と照合される認証鍵穴情報を読み取り、認証鍵情報と認証鍵穴情報との間の対応関係に基づいて、物品に係る情報に対してアクセスする権限を有するか否かの認証をおこなうこととしたので、認証鍵情報と認証鍵穴情報とを照合することにより、情報が他人に読み取られる危険性を効果的に低めることができるという効果を奏する。
【００３３】
また、本発明によれば、認証鍵が形成された物品に取り付けられた通信装置から所定の情報を受信した場合に、当該情報を受信した場合にのみ読み取り可能な認証鍵穴情報を読み取ることとしたので、認証鍵穴情報の読み取りを制限することにより、情報が他人に読み取られる危険性を効果的に低めることができるという効果を奏する。
【００３４】
また、本発明によれば、認証鍵穴情報を当該認証鍵穴情報を記憶したＲＦＩＤタグから読み取ることとしたので、認証鍵が形成された物品と独立したＲＦＩＤタグから認証鍵穴情報を読み取って認証鍵情報と照合することにより、情報が他人に読み取られる危険性を効果的に低めることができるという効果を奏する。
【００３５】
また、本発明によれば、ＲＦＩＤタグからＲＦＩＤタグの識別情報を読み取り、読み取った識別情報を基にして、ＲＦＩＤタグの識別情報と認証鍵穴情報とを対応付けて記憶したデータベースから認証鍵穴情報を読み取ることとしたので、データベースから認証鍵穴情報を読み取って認証鍵情報と照合することにより、情報が他人に読み取られる危険性を効果的に低めることができるという効果を奏する。
【００３６】
複数のＲＦＩＤタグから各ＲＦＩＤタグが取り付けられたそれぞれの物品の識別情報を読み取り、また、ＲＦＩＤタグから物品のグループに係る情報を読み取り、物品の識別情報および物品のグループに係る情報に基づいて、物品が揃っているか否かの状況を判定し、物品に係る情報に対するアクセス要求を受け付けた場合に、物品自体に形成された認証鍵から認証鍵情報を読み取り、読み取った認証鍵情報に基づいて、物品に係る情報に対してアクセスする権限を有するか否かの認証をおこなうこととしたので、情報が他人に読み取られる危険性を効果的に低めることができるとともに、物品が揃っているか否かを検査することができるという効果を奏する。
【００３７】
また、本発明によれば、物品は、人が装着する物品であることとしたので、人が装着する物品に認証鍵を形成することにより、認証鍵情報の読み取りをどこでもおこなうことができるという効果を奏する。
【００３８】
また、本発明によれば、認証鍵情報の読み取りを電磁波または音波を認証鍵に照射することによりおこなうこととしたので、認証鍵情報の読み取りを効率的におこなうことができるという効果を奏する。
【００３９】
また、本発明によれば、認証鍵情報の読み取りを認証鍵の画像を撮影することによりおこなうこととしたので、認証鍵情報の読み取りを効率的におこなうことができるという効果を奏する。
【発明を実施するための最良の形態】
【００４０】
以下に添付図面を参照して、本発明に係る認証鍵および認証装置の好適な実施例を詳細に説明する。
【実施例１】
【００４１】
まず、本実施例１に係る認証処理の概念について説明する。図１は、人工歯１０に形成される認証鍵１１ａ，１１ｂについて説明する図である。図１に示すように、この認証処理では、人工歯１０の表面に微細な凹凸を加工することにより認証鍵１１ａ，１１ｂを形成し、その認証鍵１１ａ，１１ｂを用いて必要な情報を取得する際の認証をおこなう。
【００４２】
なお、認証鍵１１ａ，１１ｂは２つ形成されているが、これは、一方の認証鍵１１ａ，１１ｂの凹凸が磨耗や脆性破壊などにより失われた場合でも、認証をおこなえるようにするためである。また、認証鍵１１ａ，１１ｂを３つ以上形成することとしてもよい。
【００４３】
この認証処理においては、認証鍵１１ａ，１１ｂの画像をＣＣＤ（Charge Coupled Devices）カメラやＣＭＯＳ（Complementary Metal-Oxide Semiconductor）カメラなどで撮影したり、認証鍵１１ａ，１１ｂに対して超音波を照射し、その反射波強度を検出したり、認証鍵１１ａ，１１ｂに対してレーザや赤外線などの電磁波を照射し、その反射強度を検出したりすることにより、認証鍵１１ａ，１１ｂの加工形状の違いを読み取る。
【００４４】
図１には、カメラ撮影用の認証鍵パターン１２、超音波照射用の認証鍵パターン１３、電磁波照射用の認証鍵パターン１４の例が示されている。
【００４５】
カメラ撮影用の認証鍵パターン１２では、大きさや形状を変えた複数の凹凸が形成されている。一方で、さまざまな大きさや形状を有する凹凸を文字や数字などに変換する変換テーブルを記憶したデータベースを設けておく。そして、撮影された認証鍵パターン１２を、変換テーブルを用いて文字や数字に変換することにより、認証鍵情報を取得する。
【００４６】
また、超音波照射用の認証鍵パターン１３では、深さを変えた複数の凹部が形成されている。一方で、超音波を凹部に照射した場合の反射波の強度を文字や数字などに変換する変換テーブルを記憶したデータベースを設けておく。
【００４７】
そして、反射波の強度を、変換テーブルを用いて文字や数字に変換することにより、認証鍵情報を取得する。ここで、少なくとも２つ以上の周波数の超音波を用いて反射波の強度を検出することにより、認証鍵情報をより確実に取得することができる。
【００４８】
また、電磁波照射用の認証鍵パターン１４では、電磁波を乱反射させるため、それぞれ不規則な方向を向くように形成された複数の面から構成される凹部と、内部が平坦である凹部とが形成されている。
【００４９】
一方で、電磁波をこれらの凹部に照射した場合の反射波の強度を文字や数字などに変換する変換テーブルを記憶したデータベースを設けておく。そして、反射波の強度を、変換テーブルを用いて文字や数字に変換することにより、認証鍵情報を取得する。
【００５０】
また、認証鍵１１ａ，１１ｂのパターンは上記パターンに限定されず、バーコードに類似した形状のパターンとすることとしてもよい。図２は、バーコード類似形状の認証鍵２１ａ，２１ｂの例を示す図である。
【００５１】
図２の場合においても、図１の場合と同様、人工歯２０の表面に認証鍵２１ａ，２１ｂが形成される。ただし、図２の場合には、認証鍵２１ａ，２１ｂに形成される凹凸のパターンは、バーコードに類似した縦縞模様となっている。ここで、縦縞部分は、凹部であってもよいし、凸部であってもよい。
【００５２】
そして、この縦縞模様をカメラなどで撮影し、そのパターンを一般的なバーコードリーダがおこなう処理と同様にして文字や数字に変換することにより、認証鍵情報を取得することができる。
【００５３】
このように、人工歯１０，２０の表面に認証鍵１１ａ，１１ｂ，２１ａ，２１ｂを形成し、その認証鍵１１ａ，１１ｂ，２１ａ，２１ｂから取得された認証鍵情報を用いて人工歯１０，２０に係る情報を取得する際の認証をおこなうことにより、情報が他人に読み取られる危険性を効果的に低めることができる。
【００５４】
なお、ここでは、人工歯１０，２０の表面に認証鍵１１ａ，１１ｂ，２１ａ，２１ｂを形成する場合を説明したが、人工歯１０，２０に限らず、人工頭髪などの人体に装着する物品の表面に認証鍵を形成することとしてもよい。
【００５５】
この認証処理においては、電磁波を用いて通信をおこなうＲＦＩＤタグを人工歯や人工頭髪に取り付けて認証鍵情報を取得するのではないため、過度の電磁波照射による健康被害が心配される場合に有効である。
【００５６】
また、ＲＦＩＤタグを人工歯や人工頭髪に取り付けた場合には、ＲＦＩＤタグから情報を読み取るリーダ・ライタが周囲にある場合に、情報が勝手に読み取られてしまう危険性があるが、この認証処理においては、勝手に情報が読み取られることを防ぐことができる。
【００５７】
さらに、認証鍵が形成される物品は、人工歯や人工頭髪などの人体に装着される物品だけでなく、ペットに装着される物品や、宝石や貴金属が埋め込まれた時計などの貴重品であってもよい。貴重品に認証鍵を形成する場合には、貴重品の価値を損なわないよう、文字や数字などの刻印内、または、刻印の近傍に微細加工することが望ましい。
【００５８】
つぎに、本実施例１に係る認証システムの機能構成を説明する。図３は、実施例１に係る認証システムの機能構成を示す図である。なお、ここでは、図１の認証鍵パターン１２を用いて説明したように、認証鍵をカメラで撮影することにより認証鍵情報を取得する場合について説明する。
【００５９】
この認証システムは、人工歯３０、ＲＦＩＤタグ４０および認証装置５０からなる。人工歯３０は、図１または図２で説明したような認証鍵３１ａ，３１ｂが表面に形成された人工歯である。
【００６０】
なお、この認証鍵３１ａ，３１ｂから読み取られる情報は、暗号化された情報となっている。この暗号化された情報を復号する復号キーは、後に説明するように、ＲＦＩＤタグ４０に記憶されている。
【００６１】
ＲＦＩＤタグ４０は、人工歯３０に係る情報を取得する際に、人工歯３０の認証鍵３１ａ，３１ｂを基にして取得された認証鍵情報と照合する認証鍵穴情報などを記憶したタグである。このＲＦＩＤタグ４０は、プラスチックのカードなどに取り付けられ、人が持ち運びやすいようになっている。
【００６２】
図３に示すように、このＲＦＩＤタグ４０は、記憶部４１、アンテナ４２、データ送受信部４３および制御部４４を有する。
【００６３】
記憶部４１は、各種情報を記憶するメモリである。この記憶部４１は、ＩＤ情報４１ａ、認証鍵穴情報４１ｂおよび復号キー情報４１ｃを記憶している。ＩＤ情報４１ａは、ＲＦＩＤタグ４０を識別するためのＩＤ情報である。
【００６４】
認証鍵穴情報４１ｂは、人工歯３０の認証鍵３１ａ，３１ｂを基にして取得された認証鍵情報と照合される鍵穴情報である。
【００６５】
復号キー情報４１ｃは、暗号化された認証鍵情報の復号に用いられるキーである。ここで、人工歯３０の認証鍵３１ａ，３１ｂを基にして取得される認証鍵情報は、第三者が容易に認証鍵情報を読み取ることができないように暗号化されたものとなっている。
【００６６】
なお、記憶部４１に、人工歯３０における認証鍵３１ａ，３１ｂの形成位置に係る情報をさらに記憶させ、その情報を読み取ることにより、認証鍵３１ａ，３１ｂの位置を探しやすくすることとしてもよい。
【００６７】
アンテナ４２は、認証装置５０との間で電波通信をおこなうためのアンテナである。データ送受信部４３は、認証装置５０との間でさまざまなデータの送受信をおこなう送受信部である。制御部４４は、ＲＦＩＤタグ４０を全体制御する制御部であり、機能部間でのデータの授受などを司る。
【００６８】
認証装置５０は、人工歯３０に係る情報を記憶したデータベースから情報を読み出す場合に、人工歯３０の認証鍵３１ａ，３１ｂを基にして取得した認証鍵情報と、ＲＦＩＤタグ４０から取得した認証鍵穴情報４１ｂとが一致するか否かを判定し、一致した場合にデータベースから情報を読み出して、出力する処理をおこなう。
【００６９】
この認証装置５０は、入力部５１、表示部５２、所有者情報データベース５３、認証鍵変換情報データベース５４、認証鍵読取部５５、ＲＦＩＤタグ情報読取部５６、復号処理部５７、認証処理部５８および制御部５９を有する。
【００７０】
入力部５１は、キーボードやマウスなどの入力デバイスである。表示部５２は、ディスプレイなどの表示デバイスである。所有者情報データベース５３は、人工歯３０を所有している所有者の情報を、ＲＦＩＤタグ４０のＩＤ情報４１ａと対応付けて人工歯３０に係る情報として記憶したデータベースである。
【００７１】
具体的には、所有者情報データベース５３は、人工歯３０の素材、人工歯３０を作成する際の各種化学処理または加工情報、人工歯３０の装着に係る情報、メインテナンスの情報、治療時の種々の機器の詳細設定情報、人工歯３０の処分・廃棄時の手順に係る情報などを記憶する。
【００７２】
認証鍵変換情報データベース５４は、認証鍵３１ａ，３１ｂの凹凸を文字や数字などに変換する変換情報を記憶したデータベースである。具体的には、認証鍵変換情報データベース５４は、さまざまな大きさや形状を有する１つ１つの凹凸をそれぞれ文字や数字に割り当てた情報を記憶している。
【００７３】
認証鍵読取部５５は、人工歯３０に形成された凹凸のある認証鍵３１ａ，３１ｂの画像を撮影し、認証鍵変換情報データベース５４を参照してさまざまな大きさや形状を有する凹凸を、認証鍵情報を構成する文字や数字に変換する。ここで、認証鍵読取部５５により読み取られた認証鍵情報は暗号化されたものとなっている。
【００７４】
なお、この認証鍵読取部５５は、歯を治療する際に口内に挿入される機器の先端部分などに取り付けられる。これにより、人工歯３０に形成された認証鍵３１ａ，３１ｂの画像を容易に撮影することができる。
【００７５】
ＲＦＩＤタグ情報読取部５６は、アンテナを用いてＲＦＩＤタグ４０との間で電波通信をおこない、ＩＤ情報４１ａ、認証鍵穴情報４１ｂ、復号キー情報４１ｃをＲＦＩＤタグ４０から読み取る処理をおこなう。
【００７６】
復号処理部５７は、認証鍵読取部５５がさまざまな大きさや形状を有する凹凸を暗号化された認証鍵情報に変換した場合に、ＲＦＩＤタグ４０から読み取った復号キー情報４１ｃを基にして、暗号化された認証鍵情報を復号する処理をおこなう。
【００７７】
認証処理部５８は、復号処理部５７により復号された認証鍵情報と、ＲＦＩＤタグ情報読取部５６によりＲＦＩＤタグ４０から読み取られた認証鍵穴情報とを照合する。そして、認証処理部５８は、認証鍵情報と認証鍵穴情報とが一致する場合に、所有者情報データベース５３に記憶された人工歯３０に係る情報を表示部５２に出力する。
【００７８】
制御部５９は、認証装置５０を全体制御する制御部であり、各機能部間でのデータの授受を司る。
【００７９】
つぎに、本実施例１に係る認証処理の処理手順について説明する。図４は、実施例１に係る認証処理の処理手順を示すフローチャートである。
【００８０】
図４に示すように、まず、認証装置５０のＲＦＩＤタグ情報読取部５６は、ＲＦＩＤタグ４０からＩＤ情報４１ａ、認証鍵穴情報４１ｂおよび復号キー情報４１ｃを読み取る（ステップＳ１０１）。
【００８１】
そして、認証鍵読取部５５は、人工歯３０に加工された認証鍵３１ａ，３１ｂから暗号化された認証鍵情報を読み取る（ステップＳ１０２）。その後、復号処理部５７は、暗号化された認証鍵情報を、復号キーを用いて復号する（ステップＳ１０３）。
【００８２】
そして、認証処理部５８は、認証鍵情報と認証鍵穴情報とが一致するか否かを調べ（ステップＳ１０４）、認証鍵情報と認証鍵穴情報とが一致しない場合には（ステップＳ１０４，Ｎｏ）、所有者情報データベース５３に対するアクセスを不許可に設定する（ステップＳ１０８）。
【００８３】
その後、認証処理部５８は、表示部５２にアクセス不許可メッセージを出力し（ステップＳ１０９）、この認証処理を終了する。
【００８４】
ステップＳ１０４において、認証鍵情報と認証鍵穴情報とが一致する場合には（ステップＳ１０４，Ｙｅｓ）、認証処理部５８は、所有者情報データベース５３に対するアクセスを許可する（ステップＳ１０５）。
【００８５】
そして、認証処理部５８は、ＲＦＩＤタグ４０から読み取ったＩＤ情報４１ａに対応する所有者情報を所有者情報データベース５３から読み取り（ステップＳ１０６）、読み取った所有者情報を表示部５２に出力して（ステップＳ１０７）、この認証処理を終了する。
【００８６】
なお、上記認証処理では、認証鍵穴情報４１ｂをＲＦＩＤタグ４０から読み取ることとしたが、認証鍵穴情報をＲＦＩＤタグ４０のＩＤ情報４１ａと対応付けてデータベースに記憶しておき、ＲＦＩＤタグ４０のＩＤ情報４１ａが認証装置５０により認証された場合に、認証鍵穴情報をデータベースから読み出して、認証鍵穴情報が認証鍵情報と一致するか否かを判定することとしてもよい。
【００８７】
また、上記認証処理では、認証鍵３１ａ，３１ｂの画像をそのまま撮影することとしているが、認証鍵３１ａ，３１ｂのあらかじめ指定された部分から認証鍵情報を読み取り、部分的に読み取られた認証鍵情報とその部分に対応する認証鍵穴情報が一致するか否かを判定することとしてもよい。
【００８８】
さらには、認証鍵３１ａ，３１ｂの各部分の画像をあらかじめ指定された順序で撮影し、その画像に基づいて部分的に読み取られた認証鍵情報を結合することにより新たな認証鍵情報を生成し、生成された認証鍵情報と、画像を撮影した順序に応じて再構成された認証鍵穴情報とが一致するか否かを判定することとしてもよい。
【００８９】
上述してきたように、本実施例１では、人工歯１０に係る情報に対してアクセスする権限を有するか否かの認証に係る認証鍵情報が読み取られる認証鍵１１ａ，１１ｂを、人工歯１０に対して加工を施すことにより形成することとしたので、人工歯１０に係る情報を読み出す場合に、人工歯１０に加工を施すことにより形成された認証鍵１１ａ，１１ｂを用いて認証をおこなうことにより、情報が他人に読み取られる危険性を効果的に低めることができる。
【００９０】
また、本実施例１では、人工歯１０に対して施される加工は、人工歯１０の表面に凹凸を形成する加工であることとしたので、人工歯１０に係る情報を読み出す場合に、人工歯１０に凹凸の加工を施すことにより形成された認証鍵１１ａ，１１ｂを用いて認証をおこなうことにより、情報が他人に読み取られる危険性を効果的に低めることができる。
【００９１】
また、本実施例１では、人工歯１０に対して加工を複数箇所に重複して施すことにより認証鍵１１ａ，１１ｂが形成されることとしたので、複数箇所に重複して加工をおこなうことにより、そのうちの一箇所が損傷した場合でも、残りの加工箇所を用いて認証をおこなうことができる。
【００９２】
また、本実施例１では、認証装置５０の認証鍵読取部５５が、人工歯３０に対して加工を施すことにより形成された認証鍵３１ａ，３１ｂから、人工歯３０に係る情報に対してアクセスする権限を有するか否かの認証に係る認証鍵情報を読み取り、認証処理部５８が、認証鍵読取部５５により読み取られた認証鍵情報に基づいて、人工歯３０に係る情報に対してアクセスする権限を有するか否かの認証をおこなうこととしたので、人工歯３０に係る情報を読み出す場合に、人工歯３０に加工を施すことにより形成された認証鍵３１ａ，３１ｂを用いて認証をおこなうことにより、情報が他人に読み取られる危険性を効果的に低めることができる。
【００９３】
また、本実施例１では、認証鍵読取部５５が、認証鍵３１ａ，３１ｂのあらかじめ指定された部分から認証鍵情報を読み取り、認証処理部５８が、認証鍵読取部５５により読み取られた認証鍵情報に基づいて、人工歯３０に係る情報に対してアクセスする権限を有するか否かの認証をおこなうこととしたので、認証鍵情報を読み取る認証鍵３１ａ，３１ｂの部分を変更することにより認証鍵情報を変更し、情報が他人に読み取られる危険性を効果的に低めることができる。
【００９４】
また、本実施例１では、認証鍵読取部５５が、認証鍵３１ａ，３１ｂの各部分からあらかじめ指定された順序で認証鍵情報を読み取り、認証処理部５８が、認証鍵読取部５５により読み取られた認証鍵情報に基づいて、人工歯３０に係る情報に対してアクセスする権限を有するか否かの認証をおこなうこととしたので、認証鍵３１ａ，３１ｂの各部分から認証鍵情報を読み取る順序を変更することにより認証鍵情報を変更し、情報が他人に読み取られる危険性を効果的に低めることができる。
【００９５】
また、本実施例１では、ＲＦＩＤタグ情報読取部５６が、認証鍵情報と照合される認証鍵穴情報を読み取り、認証処理部５８が、認証鍵情報と認証鍵穴情報との間の対応関係に基づいて、人工歯３０に係る情報に対してアクセスする権限を有するか否かの認証をおこなうこととしたので、認証鍵情報と認証鍵穴情報とを照合することにより、情報が他人に読み取られる危険性を効果的に低めることができる。
【００９６】
また、本実施例１では、ＲＦＩＤタグ情報読取部５６が、認証鍵穴情報４１ｂを当該認証鍵穴情報４１ｂを記憶したＲＦＩＤタグ４０から読み取ることとしたので、認証鍵３１ａ，３１ｂが形成された人工歯３０と独立したＲＦＩＤタグ４０から認証鍵穴情報４１ｂを読み取って認証鍵情報と照合することにより、情報が他人に読み取られる危険性を効果的に低めることができる。
【００９７】
また、本実施例１では、ＲＦＩＤタグ情報読取部５６が、ＲＦＩＤタグ４０からＩＤ情報４１ａを読み取り、認証処理部５８が、ＲＦＩＤタグ情報読取部５６により読み取られたＩＤ情報４１ａを基にして、ＲＦＩＤタグのＩＤ情報４１ａと認証鍵穴情報とを対応付けて記憶したデータベースから認証鍵穴情報を読み取ることとしたので、データベースから認証鍵穴情報を読み取って認証鍵情報と照合することにより、情報が他人に読み取られる危険性を効果的に低めることができる。
【００９８】
また、本実施例１では、認証鍵３１ａ，３１ｂが形成される物品は、人工歯３０などの人が装着する物品であることとしたので、人が装着する物品に認証鍵３１ａ，３１ｂを形成することにより、認証鍵情報の読み取りをどこでもおこなうことができる。
【００９９】
また、本実施例１では、認証鍵読取部５５が、認証鍵情報の読み取りを電磁波または音波を認証鍵３１ａ，３１ｂに照射することによりおこなうこととしたので、認証鍵情報の読み取りを効率的におこなうことができる。
【０１００】
また、本実施例１では、認証鍵読取部５５が、認証鍵情報の読み取りを認証鍵３１ａ，３１ｂの画像を撮影することによりおこなうこととしたので、認証鍵情報の読み取りを効率的におこなうことができる。
【実施例２】
【０１０１】
ところで、上記実施例１では、認証装置がＲＦＩＤタグにより送信された認証鍵穴情報などを読み取ることとしたが、ＲＦＩＤタグにより送信された情報が第三者の読取装置により読み取られることを防止するため、認証装置から認証鍵に係る所定の情報を受信した場合にのみＲＦＩＤタグが情報を送信するように構成することとしてもよい。
【０１０２】
具体的には、認証鍵が形成された物品に、認証装置による電磁波を用いた通信に対して応答するＲＦＩＤタグを取り付ける。この場合、物品が人工歯のような人体装着品である場合には、強い電磁波による通信は好ましくはないが、たとえば、物品が時計や宝石などの取り外し可能な貴重品である場合には電磁波の強度は問題とはならない。
【０１０３】
そして、認証装置は、物品に取り付けられたＲＦＩＤタグに問い合わせをおこなう。もし、その問い合わせに対してＲＦＩＤタグから応答があった場合には、ＲＦＩＤタグが認証装置との間で通信可能な位置にあることが分かり、認証鍵から認証鍵情報を読み取ることができる状態にあると判定される。このようにして、認証鍵情報の読み取りがスタンバイ状態にあるか否かが調べられる。
【０１０４】
その後、認証装置は、問い合わせに対する応答をＲＦＩＤタグから検出した場合に、応答を検出したことを示す応答検出情報を、認証鍵穴情報などの情報を記憶したＲＦＩＤタグに送信する。そして、ＲＦＩＤタグは、応答検出情報を受信した場合にのみ、認証鍵穴情報などの情報を送信する。
【０１０５】
これにより、物品に取り付けられたＲＦＩＤタグからの応答がない場合には、認証鍵穴情報などの情報が第三者により読み取られる危険性を効果的に低めることができる。
【０１０６】
図５は、実施例２に係る認証システムの機能構成を説明する図である。この認証システムは、時計６０、ＲＦＩＤタグ７０および認証装置８０からなる。
【０１０７】
時計６０は、図１で説明したような認証鍵６１が表面に形成され、また、認証装置８０との間で電波通信をおこなうＲＦＩＤタグ６２が備えられた時計である。ここで、ＲＦＩＤタグ６２は、認証装置８０からの問い合わせを受け付けた場合に、応答情報を送信するものである。
【０１０８】
ＲＦＩＤタグ７０は、プラスチックのカードなどに取り付けられたＲＦＩＤタグであり、図３で説明したＲＦＩＤタグ４０とほぼ同様のものである。ただし、このＲＦＩＤタグ７０は、時計６０に取り付けられたＲＦＩＤタグ６２からの応答を検出したことを示す応答検出情報を含んだ情報送信要求を認証装置８０から受信した場合に、要求された情報を送信するよう構成されている。
【０１０９】
このＲＦＩＤタグ７０は、記憶部７１、アンテナ７２、データ送受信部７３、情報送信可否判定部７４および制御部７５を有する。ここで、記憶部７１には、ＩＤ情報７１ａ、認証鍵穴情報７１ｂおよび復号キー情報７１ｃが記憶されている。
【０１１０】
ここで、記憶部７１、ＩＤ情報７１ａ、認証鍵穴情報７１ｂおよび復号キー情報７１ｃ、アンテナ７２、データ送受信部７３および制御部７５は、図３に示した記憶部４１、ＩＤ情報４１ａ、認証鍵穴情報４１ｂおよび復号キー情報４１ｃ、アンテナ４２、データ送受信部４３および制御部４４と同様の機能を有する。
【０１１１】
情報送信可否判定部７４は、応答検出情報を含んだ情報送信要求を認証装置８０から受信したか否かを調べ、その情報送信要求を受信した場合に、ＩＤ情報７１ａ、認証鍵穴情報７１ｂおよび復号キー情報７１ｃの送信を許可する。
【０１１２】
認証装置８０は、図３で説明した認証装置５０とほぼ同様のものである。ただし、この認証装置８０は、時計６０に取り付けられたＲＦＩＤタグ６２との間で通信をおこない、ＲＦＩＤタグ６２からの応答を検出する処理をおこなう。
【０１１３】
そして、認証装置８０は、ＲＦＩＤタグ６２からの応答を検出した場合に、応答を検出したことを示す応答検出情報を含んだ情報送信要求をＲＦＩＤタグ７０に送信し、ＲＦＩＤタグ７０により送信されたＩＤ情報７１ａ、認証鍵穴情報７１ｂおよび復号キー情報７１ｃを受信する。
【０１１４】
この認証装置８０は、入力部８１、表示部８２、物品情報データベース８３、認証鍵変換情報データベース８４、状態問合せ部８５、認証鍵読取部８６、ＲＦＩＤタグ情報読取部８７、復号処理部８８、認証処理部８９および制御部９０を有する。
【０１１５】
入力部８１、表示部８２、認証鍵変換情報データベース８４、認証鍵読取部８６、復号処理部８８、認証処理部８９および制御部９０は、図３に示した入力部５１、表示部５２、認証鍵変換情報データベース５４、認証鍵読取部５５、復号処理部５７、認証処理部５８および制御部５９と同様の機能を有する。
【０１１６】
物品情報データベース８３は、時計６０の修理履歴や時計６０の所有者の情報など、時計６０に係る情報を記憶したデータベースである。本実施例２に係る認証処理は、この物品情報データベース８３に記憶されたデータを読み取る場合に実行されるものである。
【０１１７】
状態問合せ部８５は、時計６０に取り付けられたＲＦＩＤタグ６２に対して問い合わせをおこない、それに対してＲＦＩＤタグ６２から送信された応答を検出する処理をおこなう。
【０１１８】
ＲＦＩＤタグ情報読取部８７は、状態問合せ部８５が、ＲＦＩＤタグ６２からの応答を検出した場合に、応答検出情報を含んだ情報送信要求をＲＦＩＤタグ７０に送信し、それに応じてＲＦＩＤタグ７０により送信されたＩＤ情報７１ａ、認証鍵穴情報７１ｂおよび復号キー情報７１ｃを受信する処理をおこなう。
【０１１９】
つぎに、本実施例２に係る認証処理の処理手順について説明する。図６は、実施例２に係る認証処理の処理手順を示すフローチャートである。図６に示すように、まず、認証装置８０の状態問合せ部８５は、時計６０に備えられたＲＦＩＤタグ６２に対する問い合わせを実行する（ステップＳ２０１）。
【０１２０】
そして、状態問合せ部８５は、ＲＦＩＤタグ６２から応答があったか否かを調べ（ステップＳ２０２）、応答がなかった場合には（ステップＳ２０２，Ｎｏ）、無応答であることを示す無応答メッセージを表示部８２に出力し（ステップＳ２０６）、この認証処理を終了する。
【０１２１】
ＲＦＩＤタグ６２から応答があった場合には（ステップＳ２０２，Ｙｅｓ）、ＲＦＩＤタグ情報読取部８７は、応答検出情報を含んだ情報送信要求をプラスチックカードに備えられたＲＦＩＤタグ７０に送信する（ステップＳ２０３）。
【０１２２】
そして、その情報送信要求に応じてプラスチックカードに備えられたＲＦＩＤタグ７０により送信されたＩＤ情報７１ａ、認証鍵穴情報７１ｂおよび復号キー情報７１ｃを受信する（ステップＳ２０４）。
【０１２３】
その後、認証鍵読取部８６、復号処理部８８および認証処理部８９は、図４で説明した認証処理と同様の認証処理を実行し（ステップＳ２０５）、この認証処理を終了する。
【０１２４】
上述してきたように、本実施例２では、状態問合せ部８５が、認証鍵６１が形成された時計６０に取り付けられたＲＦＩＤタグ６２から問合せに対する応答を受信した場合に、応答を受信した場合にのみ読み取り可能な認証鍵穴情報７１ｂをＲＦＩＤタグ７０から読み取ることとしたので、認証鍵穴情報７１ｂの読み取りを制限することにより、情報が他人に読み取られる危険性を効果的に低めることができる。
【実施例３】
【０１２５】
ところで、上記実施例１または実施例２では、認証鍵を用いて認証鍵が形成された物品に係る情報を読み出す場合について説明したが、物品が複数ある場合にすべての物品が揃っているか否かをさらに検査することとしてもよい。
【０１２６】
図７は、不足した物品があるか否かを検出する不足物品検出処理の概念を説明する図である。図７に示すように、この不足物品検出処理においては、ＩＣカード１００に内蔵されたＲＦＩＤタグ１０１に、外出時に携帯すべき物品１０２ａ〜１０２ｃの情報を記憶させておく。
【０１２７】
そして、玄関などに設置された認証装置１１０が、ＩＣカード１００に内蔵されたＲＦＩＤタグ１０１との間で通信をおこない、外出時に携帯すべき物品１０２ａ〜１０２ｃの情報をＲＦＩＤタグ１０１から読み取る。
【０１２８】
さらに、認証装置１１０は、各物品１０２ａ〜１０２ｃに取り付けられたＲＦＩＤタグ１０３ａ〜１０３ｃとの間で通信をおこない、各ＲＦＩＤタグ１０３ａ〜１０３ｃのＩＤ情報を読み取る。
【０１２９】
そして、認証装置１１０は、ＩＣカード１００に内蔵されたＲＦＩＤタグ１０１から読み取った携帯すべき物品１０２ａ〜１０２ｃの情報と、ＲＦＩＤタグ１０３ａ〜１０３ｃのＩＤ情報とから、すべての物品１０２ａ〜１０２ｃが揃っているか否かを判定し、揃っていない場合には、物品１０２ａ〜１０２ｃが不足していることを示すメッセージを出力する。
【０１３０】
さらに、認証装置１１０は、物品１０２ａ〜１０２ｃに係る詳細な情報の出力要求を物品１０２ａ〜１０２ｃの携帯者から受け付けた場合に、実施例１または実施例２で説明したようにして、物品１０２ａ〜１０２ｃに形成された認証鍵１０４ａ〜１０４ｃによる認証処理をおこない、認証が成功した場合にのみ、物品１０２ａ〜１０２ｃに係る詳細な情報を出力する。
【０１３１】
これにより、外出する際に、物品１０２ａ〜１０２ｃの不足を容易に確認することができるとともに、物品１０２ａ〜１０２ｃに係る情報を他人に読み取られることなく読み出すことができる。
【０１３２】
なお、ここでは、認証装置１１０が、物品１０２ａ〜１０２ｃが不足していることを検出することとしたが、余分な物品１０２ａ〜１０２ｃがある場合に、それを検出することとしてもよい。
【０１３３】
つぎに、本実施例３に係る認証システムの機能構成について説明する。図８は、実施例３に係る認証システムの機能構成を示す図である。この認証システムは、物品１２０1〜１２０n、ＩＣカード１３０および認証装置１４０からなる。
【０１３４】
ここで、物品１２０1〜１２０n、ＩＣカード１３０および認証装置１４０は、図７に示した物品１０２ａ〜１０２ｃ、ＩＣカード１００および認証装置１１０にそれぞれ対応するものである。
【０１３５】
物品１２０1〜１２０nは、図１または図２で説明したような認証鍵１２１1〜１２１nが表面に形成されているとともに、ＩＤ情報１２３1〜１２３nを記憶したＲＦＩＤタグ１２２1〜１２２nが取り付けられている。
【０１３６】
ここで、ＲＦＩＤタグ１２２1〜１２２nは、図３に示したようなＲＦＩＤタグ４０と同様の構成をしており、記憶部４１、アンテナ４２、データ送受信部４３および制御部４４に相当する各機能部を有しているが、図８ではそれらを省略している。
【０１３７】
ＩＤ情報１２３1〜１２３nは、図３に示したＩＤ情報４１ａと同様のものであり、各物品１２０1〜１２０nに取り付けられた個々のＲＦＩＤタグ１２２1〜１２２nを識別するためのＩＤ番号である。
【０１３８】
ＩＣカード１３０は、ＲＦＩＤタグ１３１を内蔵したプラスチックのカードである。このＲＦＩＤタグ１３１は、ＩＤ情報１３２ａ、物品グループ情報１３２ｂおよび通信プロトコル情報１３３ｃを記憶している。
【０１３９】
なお、このＲＦＩＤタグ１３１もまた、図３に示したようなＲＦＩＤタグ４０と同様の構成をしており、記憶部４１、アンテナ４２、データ送受信部４３および制御部４４に相当する各機能部を有しているが、図８ではそれらを省略している。
【０１４０】
ＩＤ情報１３２ａは、ＩＣカード１３０に取り付けられたＲＦＩＤタグ１３１を識別するためのＩＤ番号である。物品グループ情報１３２ｂは、外出時に携帯すべき各物品１２０1〜１２０nのＩＤ情報１２３1〜１２３nを記憶したものである。
【０１４１】
通信プロトコル情報１３２ｃは、外出時に携帯すべき各物品１２０1〜１２０nに取り付けられたＲＦＩＤタグ１２２1〜１２２nと通信をおこなう場合に用いる通信プロトコルの情報を記憶したものである。この通信プロトコルは、ＲＦＩＤタグ１２２1〜１２２nごとに異なったものとなっている。
【０１４２】
認証装置１４０は、ＩＣカード１３０から外出時に携帯すべき各物品１２０1〜１２０nの情報を取得するとともに、各物品１２０1〜１２０nに取り付けられたＲＦＩＤタグ１２２1〜１２２nとの間で通信をおこない、外出時に携帯すべき各物品１２０1〜１２０nがすべて揃っているか否かを判定する処理をおこなう。
【０１４３】
また、この認証装置１４０は、物品１２０1〜１２０nに係る詳細な情報の出力要求を物品１２０1〜１２０nの携帯者から受け付けた場合に、実施例１または実施例２で説明したようにして、認証鍵１２１1〜１２１nによる認証処理をおこない、認証が成功した場合に、物品１２０1〜１２０nに係る詳細な情報を出力する。
【０１４４】
この認証装置１４０は、入力部１４１、表示部１４２、物品情報データベース１４３、認証鍵変換情報データベース１４４、復号キー情報データベース１４５、認証鍵穴情報データベース１４６、認証鍵読取部１４７、ＲＦＩＤタグ情報読取部１４８、復号処理部１４９、不足物品検出部１５０、認証処理部１５１および制御部１５２を有する。
【０１４５】
入力部１４１は、キーボードやマウスなどの入力デバイスである。表示部１４２は、ディスプレイなどの表示デバイスである。物品情報データベース１４３は、外出時に携帯すべき各物品１２０1〜１２０nに係る詳細情報を、ＲＦＩＤタグ１２２1〜１２２nのＩＤ情報１２３1〜１２３nと対応付けて記憶したデータベースである。
【０１４６】
認証鍵変換情報データベース１４４は、図３で説明した認証鍵変換情報データベース５４と同様のものであり、さまざまな大きさや形状を有する認証鍵１２１1〜１２１nの凹凸を文字や数字などに変換する変換テーブルを記憶したデータベースである。
【０１４７】
復号キー情報データベース１４５は、図３で説明した復号キー情報４１ｃと同様の情報を記憶したデータベースであり、暗号化された認証鍵情報の復号に用いられるキーを、ＲＦＩＤタグ１２２1〜１２２nのＩＤ情報１２３1〜１２３nと対応付けて記憶したデータベースである。
【０１４８】
認証鍵穴情報データベース１４６は、図３で説明した認証鍵穴情報４１ｂと同様の情報を記憶したデータベースであり、認証鍵１２１1〜１２１nを基にして取得された認証鍵情報と照合する鍵穴情報を、ＲＦＩＤタグ１２２1〜１２２nのＩＤ情報１２３1〜１２３nと対応付けて記憶したデータベースである。
【０１４９】
認証鍵読取部１４７は、物品１２０1〜１２０nに係る詳細な情報の出力要求を、物品１２０1〜１２０nの携帯者から受け付けた場合に、物品１２０1〜１２０nに形成された凹凸のある認証鍵１２１1〜１２１nを撮影し、認証鍵変換情報データベース１４４を参照して凹凸を文字や数字に変換する。ここで、認証鍵読取部１４７により読み取られた文字や数字は暗号化されたものとなっている。
【０１５０】
ＲＦＩＤタグ情報読取部１４８は、ＩＣカード１３０に内蔵されたＲＦＩＤタグ１３１との間で電波通信をおこない、ＩＤ情報１３２ａ、物品グループ情報１３２ｂおよび通信プロトコル情報１３２ｃを読み取る。
【０１５１】
また、ＲＦＩＤタグ情報読取部１４８は、ＩＣカード１３０に内蔵されたＲＦＩＤタグ１３１から読み取った通信プロトコル情報１３２ｃに基づいて、各物品１２０1〜１２０nに取り付けられたＲＦＩＤタグ１２２1〜１２２nとの間で特定の通信プロトコルを用いて電波通信をおこない、ＲＦＩＤタグ１２２1〜１２２nからＩＤ情報１２３1〜１２３nを読み取る。
【０１５２】
復号処理部１４９は、図３で説明した復号処理部５７と同様のものであり、認証鍵読取部１４７により暗号化された文字や数字に凹凸が変換された場合に、復号キー情報データベース１４５から復号キーを読み出し、読み出した復号キーを用いて暗号化された文字や数字を復号することにより、認証鍵情報を生成する処理をおこなう。
【０１５３】
不足物品検出部１５０は、ＩＣカード１３０から取得された物品グループ情報１３２ｂと、各物品１２０1〜１２０nに取り付けられたＲＦＩＤタグ１２２1〜１２２nから取得されたＩＤ情報１２３1〜１２３nとを基にして、外出時に携帯すべき各物品１２０1〜１２０nがすべて揃っているか否かを判定する。
【０１５４】
そして、不足物品検出部１５０は、外出時に携帯すべき各物品１２０1〜１２０nがすべて揃っていないと判定した場合に、物品１２０1〜１２０nが不足していることを示すメッセージを出力する。
【０１５５】
また、不足物品検出部１５０は、外出時に携帯すべき各物品１２０1〜１２０nがすべて揃っていると判定した場合に、物品１２０1〜１２０nがすべて揃っていることを示すメッセージを出力する。
【０１５６】
認証処理部１５１は、復号処理部１４９により生成された認証鍵情報と、認証鍵穴情報データベース１４６から読み取られた認証鍵穴情報とを照合する。そして、認証処理部１５１は、認証鍵情報と認証鍵穴情報とが一致する場合に、物品情報データベース１４３に記憶された物品１２０1〜１２０nの詳細情報を表示部１４２に出力する。
【０１５７】
制御部１５２は、認証装置１４０を全体制御する制御部であり、各機能部間でのデータの授受を司る。
【０１５８】
つぎに、本実施例３に係る認証処理の処理手順について説明する。図９は、実施例３に係る認証処理の処理手順を示すフローチャートである。
【０１５９】
図９に示すように、まず、認証装置１４０のＲＦＩＤタグ情報読取部１４８は、ＩＣカード１３０のＲＦＩＤタグ１３１に記憶されたＩＤ情報１３２ａ、物品グループ情報１３２ｂおよび通信プロトコル情報１３２ｃを読み取る（ステップＳ３０１）。
【０１６０】
そして、ＲＦＩＤタグ情報読取部１４８は、通信プロトコル情報１３２ｃにより特定される通信プロトコルを用いて、各物品１２０1〜１２０nに取り付けられたＲＦＩＤタグ１２２1〜１２２nからＩＤ情報１２３1〜１２３nを読み取る（ステップＳ３０２）。
【０１６１】
続いて、不足物品検出部１５０は、物品グループ情報１３２ｂと、各ＲＦＩＤタグ１２２1〜１２２nから取得されたＩＤ情報１２３1〜１２３nとを基にして、外出時に携帯すべき各物品１２０1〜１２０nがすべて揃っているか否かを調べる（ステップＳ３０３）。
【０１６２】
そして、各物品１２０1〜１２０nがすべて揃っている場合には（ステップＳ３０３，Ｙｅｓ）、不足物品検出部１５０は、物品１２０1〜１２０nがすべて揃っていることを示す物品充足メッセージを出力する（ステップＳ３０４）。
【０１６３】
また、各物品１２０1〜１２０nがすべて揃っていない場合には（ステップＳ３０３，Ｎｏ）、不足物品検出部１５０は、物品１２０1〜１２０nがすべて揃っていないことを示す物品不足メッセージを出力する（ステップＳ３０９）。
【０１６４】
ステップＳ３０４またはステップＳ３０９の後、認証鍵読取部１４７は、物品１２０1〜１２０nの詳細情報の取得要求があったか否かを調べる（ステップＳ３０５）。そして、物品１２０1〜１２０nの詳細情報の取得要求がなかった場合には（ステップＳ３０５，Ｎｏ）、そのままこの認証処理を終了する。
【０１６５】
物品１２０1〜１２０nの詳細情報の取得要求があった場合には（ステップＳ３０５，Ｙｅｓ）、認証鍵読取部１４７、復号処理部１４９および認証処理部１５１は、図４で説明したようにして、認証鍵１２１1〜１２１nを用いた認証処理を実行する（ステップＳ３０６）。
【０１６６】
そして、認証処理部１５１は、認証が成功したか否かを調べ（ステップＳ３０７）、認証が成功した場合には（ステップＳ３０７，Ｙｅｓ）、物品情報データベース１４３から物品１２０1〜１２０nに係る詳細情報を読み出して表示部１４２に出力し（ステップＳ３０８）、この認証処理を終了する。
【０１６７】
認証が成功しなかった場合には（ステップＳ３０７，Ｎｏ）、認証処理部１５１は、認証ができないことを示す認証不可メッセージを出力し（ステップＳ３１０）、この認証処理を終了する。
【０１６８】
上述してきたように、本実施例３では、ＲＦＩＤタグ情報読取部１４８が、複数のＲＦＩＤタグ１２２1〜１２２nから各ＲＦＩＤタグ１２２1〜１２２nが取り付けられたそれぞれの物品１２０1〜１２０nのＩＤ情報１２３1〜１２３nを読み取り、また、ＩＣカード１３０に取り付けられたＲＦＩＤタグ１３１から物品グループ情報１３２ｂを読み取り、不足物品検出部１５０が、物品１２０1〜１２０nのＩＤ情報１２３1〜１２３nおよび物品グループ情報１３２ｂに基づいて、物品１２０1〜１２０nが揃っているか否かの状況を判定し、認証鍵読取部１４７が、物品１２０1〜１２０nに係る情報に対するアクセス要求を受け付けた場合に、物品１２０1〜１２０nに形成された認証鍵１２１1〜１２１nから認証鍵情報を読み取り、認証処理部１５１が、認証鍵読取部１４７により読み取られた認証鍵情報に基づいて、物品１２０1〜１２０nに係る情報に対してアクセスする権限を有するか否かの認証をおこなうこととしたので、情報が他人に読み取られる危険性を効果的に低めることができるとともに、物品１２０1〜１２０nが揃っているか否かを検査することができる。
【０１６９】
ところで、上記実施例で説明した各種の処理は、あらかじめ用意されたプログラムをコンピュータで実行することによって実現することができる。そこで、以下では、図１０を用いて、上記各種処理を実現するプログラムを実行するコンピュータの一例について説明する。図１０は、図３、図５または図８に示した認証装置５０，８０，１４０となるコンピュータのハードウェア構成を示す図である。
【０１７０】
このコンピュータは、ユーザからのデータの入力を受け付ける入力装置２００、表示装置２０１、認証鍵から情報を読み取る認証鍵読取装置２０２、ＲＦＩＤタグとの間で電波通信をおこない、ＲＦＩＤタグに対する情報の記憶または情報の読み出しをおこなうリーダ・ライタ２０３、ＲＡＭ（Random  Access  Memory）２０４、ＲＯＭ（Read  Only  Memory）２０５、各種プログラムを記録した記録媒体からプログラムを読み取る記憶媒体読取装置２０６、ネットワークを介して他のコンピュータとの間でデータの授受をおこなうネットワークインターフェース２０７、ＣＰＵ（Central  Processing  Unit）２０８およびＨＤＤ（Hard  Disk  Drive）２０９をバス２１０で接続して構成される。
【０１７１】
そして、ＨＤＤ２０９には、認証装置５０，８０，１４０の機能と同様の機能を発揮するプログラム、つまり、図１０に示す認証プログラム２０９ｂが記憶されている。なお、この認証プログラム２０９ｂは、適宜分散して記憶することとしてもよい。
【０１７２】
そして、ＣＰＵ２０８が、認証プログラム２０９ｂをＨＤＤ２０９から読み出して実行することにより、認証プロセス２０８ａとして機能するようになる。この認証プロセス２０８ａは、図３、図５または図８に示した各機能部の処理プロセスに対応する。
【０１７３】
また、ＨＤＤ２０９には、各種データ２０９ａが記憶されている。この各種データ２０９ａは、図３、図５または図８に示した所有者情報データベース５３、認証鍵変換情報データベース５４、物品情報データベース８３、認証鍵変換情報データベース８４、物品情報データベース１４３、認証鍵変換情報データベース１４４、復号キー情報データベース１４５、認証鍵穴情報データベース１４６に記憶されるデータなどに対応する。
【０１７４】
そして、ＣＰＵ２０８は、各種データ２０９ａをＨＤＤ２０９に記憶するとともに、各種データ２０９ａをＨＤＤ２０９から読み出してＲＡＭ２０４に格納し、ＲＡＭ２０４に格納された各種データ２０４ａに基づいて認証処理を実行する。
【０１７５】
ここで、認証プログラム２０９ｂは、必ずしも最初からＨＤＤ２０９に記憶させておく必要はない。たとえば、コンピュータに挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータの内外に備えられるハードディスクドライブ（ＨＤＤ）などの「固定用の物理媒体」、さらには、公衆回線、インターネット、ＬＡＮ、ＷＡＮなどを介してコンピュータに接続される「他のコンピュータ（またはサーバ）」などに各プログラムを記憶しておき、コンピュータがこれらから各プログラムを読み出して実行するようにしてもよい。
【０１７６】
さて、これまで本発明の実施例について説明したが、本発明は上述した実施例以外にも、特許請求の範囲に記載した技術的思想の範囲内において種々の異なる実施例にて実施されてもよいものである。
【０１７７】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１７８】
この他、上記文書中や図面中で示した処理手順、制御手順、具体的名称、各種のデータやパラメータを含む情報については、特記する場合を除いて任意に変更することができる。
【０１７９】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１８０】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１８１】
（付記１）物品に係る情報に対してアクセスする権限を有するか否かの認証に係る認証鍵情報が読み取られる認証鍵であって、
前記物品自体に加工を施すことにより形成されたこと、
を特徴とする認証鍵。
【０１８２】
（付記２）前記物品自体に施される加工は、物品の表面に凹凸を形成する加工であることを特徴とする付記１に記載の認証鍵。
【０１８３】
（付記３）前記物品自体に加工を複数箇所に重複して施すことにより形成されたことを特徴とする付記１または２に記載の認証鍵。
【０１８４】
（付記４）前記物品は、人が装着する物品であることを特徴とする付記１、２または３に記載の認証鍵。
【０１８５】
（付記５）物品に係る情報に対してアクセスする権限を有するか否かの認証をおこなう認証装置であって、
前記物品自体に加工を施すことにより形成された認証鍵から物品に係る情報に対してアクセスする権限を有するか否かの認証に係る認証鍵情報を読み取る認証鍵情報読取手段と、
前記認証鍵情報読取手段により読み取られた認証鍵情報に基づいて、前記物品に係る情報に対してアクセスする権限を有するか否かの認証をおこなう認証手段と、
を備えたことを特徴とする認証装置。
【０１８６】
（付記６）前記認証鍵情報読取手段は、前記認証鍵のあらかじめ指定された部分から認証鍵情報を読み取り、前記認証手段は、前記認証鍵情報読取手段により読み取られた認証鍵情報に基づいて、前記物品に係る情報に対してアクセスする権限を有するか否かの認証をおこなうことを特徴とする付記５に記載の認証装置。
【０１８７】
（付記７）前記認証鍵情報読取手段は、前記認証鍵の各部分からあらかじめ指定された順序で認証鍵情報を読み取り、前記認証手段は、前記認証鍵情報読取手段により読み取られた認証鍵情報に基づいて、前記物品に係る情報に対してアクセスする権限を有するか否かの認証をおこなうことを特徴とする付記５に記載の認証装置。
【０１８８】
（付記８）前記認証鍵情報と照合される認証鍵穴情報を読み取る認証鍵穴情報読取手段をさらに備え、前記認証手段は、前記認証鍵情報と認証鍵穴情報との間の対応関係に基づいて、前記物品に係る情報に対してアクセスする権限を有するか否かの認証をおこなうことを特徴とする付記５、６または７に記載の認証装置。
【０１８９】
（付記９）前記認証鍵穴情報読取手段は、前記認証鍵が形成された物品に取り付けられた通信装置から所定の情報を受信した場合に、当該情報を受信した場合にのみ読み取り可能な認証鍵穴情報を読み取ることを特徴とする付記８に記載の認証装置。
【０１９０】
（付記１０）前記認証鍵穴情報読取手段は、前記認証鍵穴情報を当該認証鍵穴情報を記憶したＲＦＩＤタグから読み取ることを特徴とする付記８または９に記載の認証装置。
【０１９１】
（付記１１）ＲＦＩＤタグの識別情報と前記認証鍵穴情報とを対応付けて記憶したデータベースと、ＲＦＩＤタグからＲＦＩＤタグの識別情報を読み取る識別情報読取手段をさらに備え、前記認証鍵穴情報読取手段は、前記識別情報読取手段により読み取られた識別情報を基にして、前記認証鍵穴情報を前記データベースから読み取ることを特徴とする付記８または９に記載の認証装置。
【０１９２】
（付記１２）複数のＲＦＩＤタグから各ＲＦＩＤタグが取り付けられたそれぞれの物品の識別情報を読み取る物品識別情報読取手段と、ＲＦＩＤタグから物品のグループに係る情報を読み取るグループ情報読取手段と、前記物品の識別情報および物品のグループに係る情報に基づいて、前記物品が揃っているか否かの状況を判定する状況判定手段をさらに備え、前記認証鍵情報読取手段は、前記物品に係る情報に対するアクセス要求を受け付けた場合に、前記物品自体に形成された認証鍵から認証鍵情報を読み取り、前記認証手段は、前記認証鍵情報読取手段により読み取られた認証鍵情報に基づいて、前記物品に係る情報に対してアクセスする権限を有するか否かの認証をおこなうことを特徴とする付記５〜１１のいずれか１つに記載の認証装置。
【０１９３】
（付記１３）前記物品は、人が装着する物品であることを特徴とする付記５〜１２のいずれか１つに記載の認証装置。
【０１９４】
（付記１４）前記認証鍵情報読取手段は、前記認証鍵情報の読み取りを電磁波または音波を認証鍵に照射することによりおこなうことを特徴とする付記５〜１３のいずれか１つに記載の認証装置。
【０１９５】
（付記１５）前記認証鍵情報読取手段は、前記認証鍵情報の読み取りを認証鍵の画像を撮影することによりおこなうことを特徴とする付記５〜１３のいずれか１つに記載の認証装置。
【０１９６】
（付記１６）物品に係る情報に対してアクセスする権限を有するか否かの認証をおこなう認証方法であって、
前記物品自体に加工を施すことにより形成された認証鍵から物品に係る情報に対してアクセスする権限を有するか否かの認証に係る認証鍵情報を読み取る認証鍵情報読取工程と、
前記認証鍵情報読取工程により読み取られた認証鍵情報に基づいて、前記物品に係る情報に対してアクセスする権限を有するか否かの認証をおこなう認証工程と、
を含んだことを特徴とする認証方法。
【０１９７】
（付記１７）物品に係る情報に対してアクセスする権限を有するか否かの認証をおこなう認証プログラムであって、
前記物品自体に加工を施すことにより形成された認証鍵から物品に係る情報に対してアクセスする権限を有するか否かの認証に係る認証鍵情報を読み取る認証鍵情報読取手順と、
前記認証鍵情報読取手順により読み取られた認証鍵情報に基づいて、前記物品に係る情報に対してアクセスする権限を有するか否かの認証をおこなう認証手順と、
をコンピュータに実行させることを特徴とする認証プログラム。
【産業上の利用可能性】
【０１９８】
以上のように、本発明に係る認証鍵および認証装置は、情報が他人に読み取られる危険性を効果的に低めることが必要な認証システムに有用である。
【図面の簡単な説明】
【０１９９】
【図１】人工歯１０に形成される認証鍵１１ａ，１１ｂについて説明する図である。
【図２】バーコード類似形状の認証鍵２１ａ，２１ｂの例を示す図である。
【図３】実施例１に係る認証システムの機能構成を示す図である。
【図４】実施例１に係る認証処理の処理手順を示すフローチャートである。
【図５】実施例２に係る認証システムの機能構成を説明する図である。
【図６】実施例２に係る認証処理の処理手順を示すフローチャートである。
【図７】不足した物品があるか否かを検出する不足物品検出処理の概念を説明する図である。
【図８】実施例３に係る認証システムの機能構成を示す図である。
【図９】実施例３に係る認証処理の処理手順を示すフローチャートである。
【図１０】図３、図５または図８に示した認証装置５０，８０，１４０となるコンピュータのハードウェア構成を示す図である。
【符号の説明】
【０２００】
１０，２０，３０    人工歯
１１ａ，１１ｂ，２１ａ，２１ｂ，３１ａ，３１ｂ，６１，１０４ａ〜１０４ｃ，１２１1〜１２１n    認証鍵
１２，１３，１４，２２    認証鍵パターン
４０，６２，７０，９１，１０３ａ〜１０３ｃ，１２２1〜１２２n，１３１    ＲＦＩＤタグ
４１，７１    記憶部
４１ａ，７１ａ，１２３1〜１２３n，１３２ａ    ＩＤ情報
４１ｂ，７１ｂ    認証鍵穴情報
４１ｃ，７１ｃ    復号キー情報
４２，７２    アンテナ
４３，７３    データ送受信部
４４，７５，５９，９０，１５２    制御部
５０，８０，１１０，１４０    認証装置
５１，８１，１４１    入力部
５２，８２，１４２    表示部
５３    所有者情報データベース
５４，８４，１４４    認証鍵変換情報データベース
５５，８６，１４７    認証鍵読取部
５６，８７，１４８    ＲＦＩＤタグ情報読取部
５７，８８，１４９    復号処理部
５８，８９，１５１    認証処理部
６０    時計
７４    情報送信可否判定部
８３，１４３    物品情報データベース
８５    状態問合せ部
１００    ＩＣカード
１０２ａ〜１０２ｃ，１２０1〜１２０n    物品
１３２ｂ    物品グループ情報
１３２ｃ    通信プロトコル情報
１４５    復号キー情報データベース
１４６    認証鍵穴情報データベース
１５０    不足物品検出部
【図１】
2006201895.tif 000003
【図２】
2006201895.tif 000004
【図３】
2006201895.tif 000005
【図４】
2006201895.tif 000006
【図５】
2006201895.tif 000007
【図６】
2006201895.tif 000008
【図７】
2006201895.tif 000009
【図８】
2006201895.tif 000010
【図９】
2006201895.tif 000011
【図１０】
2006201895.tif 000012